(57)【要約】【課題】画像を表示する際に、表示対象の表示部の解像度および物理サイズに対応した視聴者にとって視認性のよい最適な表示サイズで表示することが可能な表示制御装置を提供すること。【解決手段】画像を記憶する記憶手段と、前記記憶手段から取得した画像を所定の表示手段に表示する表示制御手段と、前記記憶手段から取得した画像の解像度を取得する画像解像度取得手段と、前記記憶手段から前記表示手段の解像度を取得する表示解像度取得手段と、前記表示手段の物理サイズを取得する表示サイズ取得手段と、を備え、前記画像を前記表示手段の所定領域に表示する場合に、所定の最大拡大率で表示した際の画像表示領域である第一の表示領域と、前記表示サイズ取得手段から取得した表示サイズをもとに算出される、最小表示ＰＰＩ（ピクセル・パー・インチ）となる第二の大表示領域とを比較し、第一の表示領域と第二の表示領域のうち、大きい表示領域サイズを最終的な表示領域サイズに設定することを特徴とする。【選択図】図１
2017223765.tif 000002
【特許請求の範囲】
【請求項１】
画像を記憶する記憶手段と、
前記記憶手段から取得した画像を所定の表示手段に表示する表示制御手段と、
前記記憶手段から取得した画像の解像度を取得する画像解像度取得手段と、
前記記憶手段から前記表示手段の解像度を取得する表示解像度取得手段と、
前記表示手段の物理サイズを取得する表示サイズ取得手段と、
を備え、
前記画像を前記表示手段の所定領域に表示する場合に、所定の最大拡大率で表示した際の画像表示領域である第一の表示領域と、前記表示サイズ取得手段から取得した表示サイズをもとに算出される、最小表示ＰＰＩ（ピクセル・パー・インチ）となる第二の大表示領域とを比較し、第一の表示領域と第二の表示領域のうち、大きい表示領域サイズを最終的な表示領域サイズに設定することを特徴とする表示制御装置。
【請求項２】
前記表示手段の種別を取得する取得手段を備え、前記最小表示ＰＰＩは、前期取得手段から取得された種別に応じて変更されることを特徴とする請求項１に記載の表示制御装置。
【請求項３】
画像を記憶する記憶手段から取得した画像を所定の表示手段に表示する表示制御工程と、
前記記憶手段から取得した画像の解像度を取得する画像解像度取得工程と、
前記記憶手段から前記表示手段の解像度を取得する表示解像度取得工程と、
前記表示手段の物理サイズを取得する表示サイズ取得工程と、
を備え、
前記画像を前記表示手段の所定領域に表示する場合に、所定の最大拡大率で表示した際の画像表示領域である第一の表示領域と、前記表示サイズ取得手段から取得した表示サイズをもとに算出される、最小表示ＰＰＩ（ピクセル・パー・インチ）となる第二の大表示領域とを比較し、第一の表示領域と第二の表示領域のうち、大きい表示領域サイズを最終的な表示領域サイズに設定することを特徴とする表示方法。
【発明の詳細な説明】
【技術分野】
【０００１】
本発明は、入力された映像信号を表示装置に表示するにあたり、映像信号を任意のサイズに拡大する映像処理を実行する映像処理装置及び映像処理装置の制御方法に関する。
【背景技術】
【０００２】
近年、デジタル放送の開始によって、１９２０×１０８０の画素数を有するＨＤ（Ｈｉｇｈ  Ｄｅｆｉｎｉｔｉｏｎ）などの高画質映像の普及が進んでいる。さらに、ＨＤの約４倍の画素数（４０９６×２１６０）を有するデジタルシネマや、ＨＤの約１６倍の画素数（７６８０×４３２０）を有する、日本放送協会が研究開発を行っているＵＨＤ（Ｕｌｔｒａ  Ｈｉｇｈ  Ｄｅｆｉｎｉｔｉｏｎ）といった、ＨＤ以上の高画質映像も出てきつつある。それに伴い、これらの映像を表示するディスプレイやプロジェクタなどの表示装置も大画面化、高精細化が進んできている。
【０００３】
このような大画面および高精細な表示装置に、ＳＤ（Ｓｔａｎｄａｒｄ  Ｄｅｆｉｎｉｔｉｏｎ）映像など、画素数の低い映像を表示する場合、ＳＤ映像の１画素を高画素数の表示装置の１画素に割り当てると、画面サイズに比べ表示サイズが小さくなってしまい視認性が良くない。例えば、４０００×２０００の画素数を有する表示装置に７２０×４８０画素のＳＤ映像をそのまま表示すると、映像の表示されない領域が非常に多くなり、画面サイズに比べて映像が小さく表示される。デジタルシネマなどに代表されるように、高解像の表示装置は大画面であり、視聴者は画面から比較的離れた位置で映像を視聴する。従って、小さく表示された映像は認識が困難になる。
【０００４】
これに対して、特許文献１において、映像信号の画質特性または映像信号の入力端子の種別に応じて、表示解像度を調整する技術が開示されている。
【先行技術文献】
【特許文献】
【０００５】
【特許文献１】特開２００８−１５２１１４号公報
【発明の概要】
【発明が解決しようとする課題】
【０００６】
しかしながら、上記従来例では表示部の解像度のサイズが既知である場合にパラメータが決定可能であることを前提にした技術である。
【０００７】
したがって、表示部が取り外し可能で解像度および物理サイズが異なる表示部が接続される場合や、スマートフォンのＯＳ（Ｏｐｅｒａｔｉｎｇ  Ｓｙｓｔｅｍ）のように異なるハードウェア構成の機器にインストールされるプログラムである場合等、多様な表示部の解像度および物理サイズに対応して画像表示を行う表示制御ができない。
【課題を解決するための手段】
【０００８】
上記の課題を解決するために、本発明に係る表示制御装置は、
画像を記憶する記憶手段と、前記記憶手段から取得した画像を所定の表示手段に表示する表示制御手段と、前記記憶手段から取得した画像の解像度を取得する画像解像度取得手段と、前記記憶手段から前記表示手段の解像度を取得する表示解像度取得手段と、前記表示手段の物理サイズを取得する表示サイズ取得手段とを備え、前記画像を前記表示手段の所定領域に表示する場合に、所定の最大拡大率で表示した際の画像表示領域である第一の表示領域と、前記表示サイズ取得手段から取得した表示サイズをもとに算出される、最小表示ＰＰＩ（ピクセル・パー・インチ）となる第二の大表示領域とを比較し、第一の表示領域と第二の表示領域のうち、大きい表示領域サイズを最終的な表示領域サイズに設定することを特徴とする。
【発明の効果】
【０００９】
本発明に係る表示制御装置によれば、画像を表示する際に、表示対象の表示部の解像度および物理サイズに対応した視聴者にとって視認性のよい最適な表示サイズで表示することが可能となる。
【図面の簡単な説明】
【００１０】
【図１】本発明の第１の実施形態における映像処理装置のブロック図
【図２】本発明の第１の実施形態における表示サイズの決定手順を示すフローチャート
【図３】本発明の第１の実施形態における表示部への表示例を示す図
【図４】本発明の第１の実施形態における表示部への表示例を示す図
【図５】本発明の第１の実施形態における表示部の表示サイズ閾値を示す図
【図６】本発明の第１の実施形態における表示部への表示例を示す図
【発明を実施するための形態】
【００１１】
以下、本発明を実施するための形態について、図面を参照しながら説明する。
【００１２】
＜第１の実施形態＞
図１は本発明の実施形態１に係る、映像処理装置を示すブロック図である。
【００１３】
１０１はアンテナからの放送信号出力端子や、ビデオデッキ、ＤＶＤレコーダなどの映像出力端子やネットワーク端子など、外部機器の出力端子が接続される映像信号入力端子である。
【００１４】
１０２は入力端子１０１に接続された端子の放送信号や映像信号、外部機器の各種信号情報が入力される入力部である。
【００１５】
１０３は入力部１０２により得られた映像信号を、実際にディスプレイに表示を行う映像信号へデコード処理を行うデコーダ部である。このデコード処理では、デジタル信号の場合はデジタル信号の復号化などの再生処理、アナログ信号の場合はＡ／Ｄ変換などのデジタル変換処理、映像のノイズを低減するノイズリダクション処理などが行われる。デコード処理の際には、デジタル信号のデコード時のエラーレート情報や、Ａ／Ｄ変換時のデジタル信号の情報量、映像のノイズ情報が算出される。
【００１６】
１０４はデコーダ部１０３においてデコードされた映像を拡大や縮小といったスケーリング処理を実行するスケーラ部である。即ち、スケーラ部１０４が映像の表示サイズ調整を行う。
【００１７】
１０５はスケーラ部１０４でスケーリング処理が行われた映像の出力を行う。１０９は映像信号出力部１０５より出力される映像信号をディスプレイやプロジェクタなどの表示装置（不図示）へ出力する映像信号出力端子である。
【００１８】
１０６は入力部１０２より入力された入力信号を元に、ビットレート情報や映像の符号化フォーマットなどの映像情報を検出する映像情報検出部である。また、映像情報検出部１０６は、デコード時のエラーレートやノイズ量などの映像情報をデコーダ部１０３から取得する。
【００１９】
１０７は映像情報検出部１０６が検出及び取得した各種の映像情報と、表示装置のメモリ部１０８上に記憶されている、表示対象の表示部の解像度および物理サイズとに基づいて映像の表示サイズを決定する表示サイズ制御部である。表示サイズ制御部１０７が決定した表示サイズはスケーラ部１０４で実行するスケーリング処理に適用される。
【００２０】
以下において、本発明の実施形態の一例としての表示サイズ制御部１０７の制御フローを、図２のフローチャートを用いながら説明する。
【００２１】
まず、表示サイズ制御部１０７は、Ｓ２０１において、メモリ上から表示部の解像度を取得する。
【００２２】
次に、表示サイズ制御部１０７は、Ｓ２０２において、メモリ上から表示部の物理サイズを取得する。
【００２３】
次に、表示サイズ制御部１０７は、Ｓ２０３において、映像情報検出部１０６によって検出された映像の解像度を取得する。
【００２４】
次に、表示サイズ制御部１０７は、Ｓ２０４において、以下に示すような計算式により拡大率が所定以下となるピクセルサイズ閾値の計算処理を行う。
閾値  ＝  ＭＩＮ（  （画像解像度  ×  閾値倍率），  表示部解像度）
つまり、表示部解像度を最大値として、閾値倍率を上限とした拡大処理を行うことに等しい。
図３に示したそれぞれのパネルに対して、解像度の低いＳＤ画質（６４０ｘ３６０）の映像を表示した場合を一例として示す。
（ａ）解像度３８４０×２１６０、長辺２０インチのディスプレイ
（ｂ）解像度３８４０ｘ２１６０、長辺１０インチのディスプレイ
（ｃ）解像度１９２０ｘ１０８０、長辺２０インチのディスプレイ
（ｄ）解像度１９２０ｘ１０８０、長辺１０インチのディスプレイ
上記において、（ａ）は十分な解像度を持つため画像が荒くなりすぎないように表示サイズを全画面から縮小したサイズで表示する。
【００２５】
例えば、「解像度拡大率２倍以下」を閾値として、前述の（ａ）〜（ｄ）への表示を行った際には、表示サイズ制御部１０７は、以下のように演算を行う。
（ａ）に対しての演算：
ＳＤ画像の解像度に対して、“３８４０÷６４０＝６［倍］”の解像度のパネルであるため、スケーリングサイズは２倍となり、１２８０ｘ７２０の表示サイズが閾値となる。
（ｂ）に対しての演算：
ＳＤ画像の解像度に対して、“３８４０÷６４０＝６［倍］”の解像度のパネルであるため、スケーリングサイズは２倍となり、１２８０ｘ７２０の表示サイズが閾値となる。
（ｃ）に対しての演算：
ＳＤ画像の解像度に対して、“１９２０÷６４０  ＝  ３［倍］”の解像度のパネルであるため、スケーリングサイズは２倍となり、１２８０ｘ７２０の表示サイズが閾値となる。
（ｄ）に対しての演算：
ＳＤ画像の解像度に対して、“１９２０÷６４０  ＝  ３［倍］”の解像度のパネルであるため、スケーリングサイズは２倍となり、１２８０ｘ７２０の表示サイズが閾値となる。
【００２６】
次に、表示サイズ制御部１０７は、Ｓ２０５において、「表示対象画像が表示された場合の、表示画面上のインチあたり画像ピクセル数（ＰＰＩ＝Ｐｉｘｅｌ  Ｐｅｒ  Ｉｎｃｈ）最小閾値」を計算する。
例えば、「１２８［ＰＰＩ］以下」として閾値を設定した際、表示サイズ制御部１０７は、以下式により演算を行う。
閾値＝ＭＩＮ（（表示部解像度×（画像解像度／ＰＰＩ閾値）／表示部サイズ），表示部解像度）
つまり、表示部解像度を最大値として、ＰＰＩ閾値を下限とした拡大処理を行うことに等しい。
【００２７】
図３と等しいサイズの表示部に対して表示例を示す、図４（ａ）〜（ｄ）を例にとると、以下のような演算結果となる。
（ａ）に対しての演算：
ＳＤ画像の解像度に対して、１２８［ＰＰＩ］を満たす拡大サイズは、“６４０［ｐｉｘ］÷１２８＝５インチ”となり、全画面の５［インチ］／２０［インチ］のエリアが表示エリアとなる。つまり、９６０ｘ５４０の表示サイズが閾値となる。
（ｂ）に対しての演算：
ＳＤ画像の解像度に対して、１２８［ＰＰＩ］を満たす拡大サイズは、“６４０［ｐｉｘ］÷１２８＝５インチ”となり、全画面の５［インチ］／１０［インチ］のエリアが表示エリアとなる。つまり、１９２０ｘ１０８０の表示サイズが閾値となる。
（ｃ）に対しての演算：
ＳＤ画像の解像度に対して、１２８［ＰＰＩ］を満たす拡大サイズは、“６４０［ｐｉｘ］÷１２８＝５インチ”となり、全画面の５［インチ］／２０［インチ］のエリアが表示エリアとなる。つまり、４８０ｘ２７０の表示サイズが閾値となる。
（ｄ）に対しての演算：
ＳＤ画像の解像度に対して、１２８［ＰＰＩ］を満たす拡大サイズは、“６４０［ｐｉｘ］÷１２８＝５インチ”となり、全画面の５［インチ］／１０［インチ］のエリアが表示エリアとなる。つまり、９６０ｘ５４０の表示サイズが閾値となる。
【００２８】
上述した演算により求められる解像度、物理サイズをもとにした表示サイズ閾値はそれぞれ２つの値となる（図５）。このため、これら２つの閾値から最終的な表示サイズを決定する必要がある。
【００２９】
この際の最終的な閾値は、双方のうち、大きいサイズの値を取ることが望ましい。理由としては、高解像度・小物理サイズの表示部の場合には、物理サイズが小さいことから高解像度に合わせた小サイズ表示よりも物理サイズを満たすように大きな画像表示を行うことが望ましく、また、低解像度・大物理サイズの表示部の場合には、物理サイズから演算される領域では画像表示のための十分な解像度を満たすことができないことが要因として挙げられる。
【００３０】
上記理由より、表示サイズ制御部１０７は、Ｓ２０６において、Ｓ２０４で算出した「表示対象画像をスケーリングする拡大率の最大閾値」、および、Ｓ２０５で算出した「表示対象画像が表示された場合の、表示画面上のインチあたり画像ピクセル数（ＰＰＩ＝Ｐｉｘｅｌ  Ｐｅｒ  Ｉｎｃｈ）最小閾値」、のそれぞれから演算される閾値ピクセルサイズを比較する。
【００３１】
比較結果が、Ｓ２０４で算出した「表示対象画像をスケーリングする拡大率の最大閾値」の方が大きい場合には、Ｓ２０７に進み、「表示対象画像をスケーリングする拡大率の最大閾値」を最終的な表示サイズに設定する。また、異なる場合には、Ｓ２０５で算出した「表示対象画像が表示された場合の、表示画面上のインチあたり画像ピクセル数（ＰＰＩ＝Ｐｉｘｅｌ  Ｐｅｒ  Ｉｎｃｈ）最小閾値」を最終的な表示サイズに設定する。
【００３２】
次に、表示サイズ制御部Ｓ１０７は、Ｓ２０９において、上記Ｓ２０８で設定された表示サイズによりスケーリングした画像を表示制御し、画像表示する。たとえば、図３および図４に例示された表示部の例では、ＳＤ画像は図６のようにスケーリングされて画像表示されることとなる。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００３４】
例えば、表示部が遠距離から視聴される場合はＰＰＩ閾値は小さく（画像が荒く）てもよく、ビューファインダーの場合にはＰＰＩ閾値は大きく（画像が繊細で）なくてはならない。このような状況に対応して、最小表示ＰＰＩを表示部種別毎に保持してもよい。
【００３５】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００３６】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００３７】
その場合、プログラムの機能を有していれば、オブジェクトコード、インタプリタにより実行されるプログラム、ＯＳに供給するスクリプトデータ等、プログラムの形態を問わない。
【００３８】
プログラムを供給するための記録媒体としては、例えば、ハードディスク、磁気テープ等の磁気記録媒体、光／光磁気記憶媒体、不揮発性の半導体メモリでもよい。
【００３９】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００４０】
１０１  映像信号入力端子部、１０２  入力部、１０３  デコーダ部、
１０４  スケーラ部、１０５  映像出力部、１０６  映像情報検出部、
１０７  表示サイズ制御部、１０８  メモリ部、１０９  映像信号出力端子部
【図１】
2017223765.tif 000003
【図２】
2017223765.tif 000004
【図３】
2017223765.tif 000005
【図４】
2017223765.tif 000006
【図５】
2017223765.tif 000007
【図６】
2017223765.tif 000008